(57)【要約】【課題】撮像機能を備えた各無線携帯端末のユーザが催し物会場等で撮像した画像コンテンツをそれらユーザにのみ共有させる。【解決手段】各無線携帯端末１１iはコンテンツ収録手段と表示手段と位置検出手段とを備えている。無線携帯端末１１iが収録したコンテンツをコンテンツ管理装置１０へ登録させる際に、無線携帯端末１１iの登録要求が所定期間内で位置情報が所定ゾーン内である場合に限り登録を許可する。無線携帯端末１１iはコンテンツツ管理装置１０から登録コンテンツのサムネイルリストを受信できるが、前記と同様の条件を満たす場合に制限される。無線携帯端末１１iはサムネイルリストに基づいて所望コンテンツを選択し、送信先アドレスと送信時刻を指定してコンテンツ管理装置１０へ配信要求する。コンテンツツ管理装置１０は前記配信要求の受理リストに基づいて選択コンテンツを配信する。【選択図】図１
2006101157.tif 000002
【特許請求の範囲】
【請求項１】
コンテンツ収録手段と表示手段と位置検出手段とをそれぞれ備えた複数の無線携帯端末と、前記無線携帯端末との間でネットワークを構成し、前記無線携帯端末が収録したコンテンツの登録と配信を行うコンテンツ管理装置とからなり、
前記無線携帯端末から前記コンテンツ管理装置へ、前記位置検出手段が検出中の位置情報を伴うコンテンツ登録要求が行われた場合に、前記コンテンツ管理装置が前記コンテンツ登録要求を受信したときの時刻と前記位置情報とを解析し、前記登録要求時刻が所定期間内であり、且つ前記位置情報が所定ゾーン内の位置を示す場合に限り、前記無線携帯端末に対してコンテンツの登録許可を与える第１手順と、
前記コンテンツ管理装置が前記第１手順で登録許可を受けた前記無線携帯端末からコンテンツを受信し、そのコンテンツを格納して登録すると共にそのコンテンツのサムネイルを作成してサムネイルリストを更新する第２手順と、
前記無線携帯端末から前記コンテンツ管理装置へ、前記位置検出手段が検出中の位置情報を伴うサムネイルリスト送信要求が行われた場合に、前記コンテンツ管理装置が前記サムネイルリスト送信要求を受信したときの時刻と位置情報とを解析し、前記送信要求時刻が前記所定期間内であり、且つ前記位置情報が前記所定ゾーン内の位置を示す場合に限り、前記無線携帯端末に対して前記サムネイルリストを送信する第３手順と、
前記サムネイルリストを受信した前記無線携帯端末において前記サムネイルリストからコンテンツの選択がなされ、前記コンテンツ管理装置へそのコンテンツ選択情報と指定送信先情報を含んだコンテンツ配信要求が行われた場合に、前記コンテンツ管理装置が前記選択情報に対応するコンテンツを前記指定送信先へ配信する第４手順と
を実行することを特徴とするコンテンツ共有方法。
【請求項２】
コンテンツ収録手段と表示手段と位置検出手段とをそれぞれ備えた複数の無線携帯端末との間でネットワークを構成し、前記無線携帯端末が収録したコンテンツの登録と配信を行うコンテンツ管理装置であって、
前記無線携帯端末から前記位置検出手段が検出中の位置情報を伴うコンテンツ登録要求を受信した場合に、前記コンテンツ登録要求を受信したときの時刻と位置情報とを解析し、前記登録要求時刻が所定期間内であり、且つ前記位置情報が所定ゾーン内の位置を示す場合に限り、前記無線携帯端末に対してコンテンツの登録許可を与える登録可否決定手段と、
登録許可を与えた前記無線携帯端末から受信したコンテンツを格納して登録するコンテンツ登録手段と、
前記コンテンツ登録手段が登録したコンテンツのサムネイルを作成してサムネイルリストを更新するサムネイルリスト作成手段と、
前記無線携帯端末から前記位置検出手段が検出中の位置情報を伴うサムネイルリスト送信が行われた場合に、前記サムネイルリスト送信要求を受信したときの時刻と位置情報とを解析し、前記送信要求時刻が前記所定期間内であり、且つ前記位置情報が前記所定ゾーン内の位置を示す場合に限り、前記無線携帯端末に対して前記サムネイルリストを送信するサムネイルリスト送信手段と、
前記サムネイルリストを送信した前記無線携帯端末からコンテンツ選択情報と指定送信先情報を含んだコンテンツ配信要求が行われた場合に、前記コンテンツ選択情報に対応するコンテンツを前記指定送信先へ配信するコンテンツ配信手段と
を具備したことを特徴とするコンテンツ管理装置。
【発明の詳細な説明】
【技術分野】
【０００１】
本発明はコンテンツ共有方法及びコンテンツ管理装置に係り、特に、コンサートや品評会等の催し物会場において、撮像機能付きの携帯電話機等の無線携帯端末で収録されたコンテンツを簡単なネットワーク構成で相互に共有させる方法等に関する。
【背景技術】
【０００２】
インターネット上の通信技術の中核をなすＩＰ（Internet Protocol）技術の進展とネットワークの高速化や大容量化に伴って、コンテンツの共有と配信が様々な運用方式で行われている。最も一般的なものは、例えば、下記特許文献１に示されているようなコンテンツ管理サーバを用いたオンデマンド方式であり、インターネット上でのコンテンツのダウンロードサービスにおいて広範に実施されている
【０００３】
また、最近ではデジタルカメラや撮像機能付きの携帯電話機の普及が目覚しく、それらの機器を用いて撮像した画像を機器メーカ等がインターネット上に設けたコンテンツ管理サーバに共有コンテンツとして登録できるようにし、各機器のユーザがサーバをアクセスしてコンテンツを見ることができるようなサービスも実施されている。そして、下記特許文献２では、複数の移動体通信端末が相互に共有し合うことができるコンテンツに関連した共有情報（コンテンツが記録されているメモリのアドレス、作品名、作者名等）をアドホックモードで交換し合うことにより、各移動体通信端末が他の移動体通信端末から所望のコンテンツをダウンロードできるコンテンツ共有環境の構成方式が開示されている。
【特許文献１】特開２００３−２８３４２２号公報
【特許文献２】特開２００２−１７５２３４号公報
【発明の開示】
【発明が解決しようとする課題】
【０００４】
ところで、コンサートや品評会等の催し物会場では入場者が撮像機能付き携帯電話機で演奏者や出展物等を撮影して回ることが多いが、各入場者においては、自分が撮影した画像だけでなく、その会場の雰囲気を共有している他の入場者が撮影した画像も収録しておきたい場合が少なくない。即ち、催し物会場に居合わせた者同士だけが共感を覚える共有コンテンツとして、より多くのものを収録しておきたいと考えるのは極めて自然である。
【０００５】
その場合、従来のように各自が撮影した画像を帰宅した後にインターネットを通じてコンテンツ管理サーバに共有コンテンツとして登録させる方法もあるが、催し物会場の雰囲気の中で自分や他の入場者が撮影したコンテンツをリアルタイムに確認しながら選択して固有のコンテンツとして収録できるようにすれば、催し物会場での楽しみが増え、また収録させたコンテンツをより印象深く鑑賞することができる。そこで、本発明は、そのようなコンテンツ共有方法を簡単な構成で実現することを目的として創作された。
【課題を解決するための手段】
【０００６】
第１の発明は、コンテンツ収録手段と表示手段と位置検出手段とをそれぞれ備えた複数の無線携帯端末と、前記無線携帯端末との間でネットワークを構成し、前記無線携帯端末が収録したコンテンツの登録と配信を行うコンテンツ管理装置とからなり、前記無線携帯端末から前記コンテンツ管理装置へ、前記位置検出手段が検出中の位置情報を伴うコンテンツ登録要求が行われた場合に、前記コンテンツ管理装置が前記コンテンツ登録要求を受信したときの時刻と前記位置情報とを解析し、前記登録要求時刻が所定期間内であり、且つ前記位置情報が所定ゾーン内の位置を示す場合に限り、前記無線携帯端末に対してコンテンツの登録許可を与える第１手順と、前記コンテンツ管理装置が前記第１手順で登録許可を受けた前記無線携帯端末からコンテンツを受信し、そのコンテンツを格納して登録すると共にそのコンテンツのサムネイルを作成してサムネイルリストを更新する第２手順と、前記無線携帯端末から前記コンテンツ管理装置へ、前記位置検出手段が検出中の位置情報を伴うサムネイルリスト送信要求が行われた場合に、前記コンテンツ管理装置が前記サムネイルリスト送信要求を受信したときの時刻と位置情報とを解析し、前記送信要求時刻が前記所定期間内であり、且つ前記位置情報が前記所定ゾーン内の位置を示す場合に限り、前記無線携帯端末に対して前記サムネイルリストを送信する第３手順と、前記サムネイルリストを受信した前記無線携帯端末において前記サムネイルリストからコンテンツの選択がなされ、前記コンテンツ管理装置へそのコンテンツ選択情報と指定送信先情報を含んだコンテンツ配信要求が行われた場合に、前記コンテンツ管理装置が前記選択情報に対応するコンテンツを前記指定送信先へ配信する第４手順とを実行することを特徴とするコンテンツ共有方法に係る。
【０００７】
この発明のコンテンツ共有方法では、コンテンツ管理装置が無線携帯端末に対してコンテンツの登録を許可する条件、及びサムネイルリストを送信する条件が、無線携帯端末側からの要求時刻が所定期間内であり、且つ無線携帯端末側が要求時に付加する位置情報が所定ゾーン内の位置を示す場合に限定されている。また、無線携帯端末でのサムネイルリストの閲覧はコンテンツの配信の前提になっている。従って、前記の空間的及び時間的条件を満たす無線携帯端末のユーザ同士だけでコンテンツの共有が図れ、それ以外の不特定多数の者にはコンテンツにアクセスできないというコンテンツ共有環境が構成できる。
【０００８】
第２の発明は、第１の発明のコンテンツ共有方法に適用されるコンテンツ管理装置であって、前記無線携帯端末から前記位置検出手段が検出中の位置情報を伴うコンテンツ登録要求を受信した場合に、前記コンテンツ登録要求を受信したときの時刻と位置情報とを解析し、前記登録要求時刻が所定期間内であり、且つ前記位置情報が所定ゾーン内の位置を示す場合に限り、前記無線携帯端末に対してコンテンツの登録許可を与える登録可否決定手段と、登録許可を与えた前記無線携帯端末から受信したコンテンツを格納して登録するコンテンツ登録手段と、前記コンテンツ登録手段が登録したコンテンツのサムネイルを作成してサムネイルリストを更新するサムネイルリスト作成手段と、前記無線携帯端末から前記位置検出手段が検出中の位置情報を伴うサムネイルリスト送信が行われた場合に、前記サムネイルリスト送信要求を受信したときの時刻と位置情報とを解析し、前記送信要求時刻が前記所定期間内であり、且つ前記位置情報が前記所定ゾーン内の位置を示す場合に限り、前記無線携帯端末に対して前記サムネイルリストを送信するサムネイルリスト送信手段と、前記サムネイルリストを送信した前記無線携帯端末からコンテンツ選択情報と指定送信先情報を含んだコンテンツ配信要求が行われた場合に、前記コンテンツ選択情報に対応するコンテンツを前記指定送信先へ配信するコンテンツ配信手段とを具備したことを特徴とするコンテンツ管理装置に係る。
【発明の効果】
【０００９】
本発明のコンテンツ共有方法によれば、簡単な無線ネットワークにおいて、各無線携帯端末からコンテンツ管理装置へコンテンツを登録できる条件と、各無線携帯端末がコンテンツ管理装置からコンテンツのサムネイルリストを受信できる条件（コンテンツ配信を受けるための前提条件）を時間的及び空間的に制限でき、例えば、催し物会場に居合わせている等の条件下にある無線携帯端末のユーザに限定してコンテンツを共有させることを可能にする。従って、催し物会場に現に居た者同士だけがリアルタイムに共感を覚えたようなコンテンツを相互に共有でき、催し物会場でサムネイルリストを確認しながらコンテンツを収録してゆくような面白さを体験できると共に、配信させたコンテンツをより印象深く鑑賞することができる。また、本発明のコンテンツ管理装置は前記コンテンツ共有方法に適用する場合の最適な構成を提供する。
【発明を実施するための最良の形態】
【００１０】
以下、本発明のコンテンツ共有方法とコンテンツ管理装置の実施形態を図面に基づいて詳細に説明する。先ず、図１はコンテンツ共有方法が実施される際のネットワーク構成図であり、１０はコンテンツ管理装置、１１a〜１１mはそれぞれ撮像機能付き携帯電話機（以下、「無線携帯端末」という）、１２a〜１２mはそれぞれ各無線携帯端末１１a〜１１mのユーザが自宅に保有しているパーソナルコンピュータ（以下、「パソコン」という）である。
【００１１】
ここに、コンテンツ管理装置１０はコンサートの主催者が会場に設置したものであり、各無線携帯端末１１a〜１１mとの間でアドホックモードのネットワークを構成し、各無線携帯端末１１a〜１１mからの要求に基づいてそれら端末１１a〜１１mが収録している画像をコンテンツとして登録すると共に、その登録したコンテンツを各無線携帯端末１１a〜１１mからの要求に基づいてインターネット１３を介してパソコン１２a〜１２m宛てに送信する機能を有している。
【００１２】
一方、各無線携帯端末１１a〜１１mは図２に示すような構成を有している。同図において、２１は通信用アンテナ、２２は通話及びデータ通信用の送受信部、２３はマイクロフォンとスピーカと送受話回路とからなる通話部、２４は撮像素子、２５は撮像素子２４から得られる画像信号を処理する信号処理部、２６は撮像素子２４への光入射経路に設けられた光学系、２７は光学系２６の駆動部、２８は液晶ディスプレイ、２９はＧＰＳ（Global Positioning System）用のアンテナ、３０はアンテナ２９で受信したＧＰＳ信号を処理するＧＰＳ受信部、３１はＣＦ（Compact Flash）カード３１aにデータをリード／ライトするＣＦ-Ｒ/Ｗ部、３２はテンキー等の操作部であり、送受信部２２と通話部２３と光学系駆動部２７と液晶ディスプレイ２８とＧＰＳ受信部３０とＣＦ-Ｒ/Ｗ部３１と操作部３２はそれぞれ必要なインターフェイス（Ｉ/Ｆ）を介して制御部４０に接続されている。
【００１３】
各無線携帯端末１１a〜１１mでは、アンテナ２１と送受信部２２と通話部２３とを用いたインフラストラクチャモード又はアドホックモードでの電話・データ通信機能を有していると共に、撮像素子２４と信号処理部２５と光学系２６と光学系駆動部２７と液晶ディスプレイ２８とを用いた撮像機能も有しており、フォーカス制御を実行しながら得られる画像データを信号処理部２５で処理してＣＦ-Ｒ/Ｗ部３１によってＣＦカード３１aに記録する。また、ＧＰＳ衛星からの電波を受信するアンテナ２９とＧＰＳ受信部３０によって常に自機の位置情報を得ることができるＧＰＳ機能も有している。尚、各機能の切換えやモード設定やデータ入力は操作部３２から行われ、制御部４０が内蔵メモリに予め格納させているプログラムに基づいて各機能での動作制御を実行する。
【００１４】
以上のコンテンツ管理装置１０と各無線携帯端末１１a〜１１mのネットワーク構成に基づいて、各無線携帯端末１１a〜１１mのユーザ（例えば、コンサート会場の入場者）が、それぞれの無線携帯端末１１a〜１１mの撮像機能を用いて撮影・収録したコンテンツを、コンテンツ管理装置１０を利用して共有するための手順を図３、図４及び図６のフローチャートを参照しながら説明する。尚、各無線携帯端末１１a〜１１mのユーザに対しては、コンサートの主催者側から『コンテンツの登録要求及びコンテンツのサムネイルリストの送信要求に際しては、無線携帯端末１１a〜１１mをアドホックモードに設定し、所定のデータ伝送用リンクの確立要求をしなければならない。』ことが予め通知されている。また、コンテンツ管理装置１０はコンサートの主催者側によって前記アドホックモードに対応した通信モードに設定されていると共に、インターネット１３との常時接続状態になっている。
【００１５】
先ず、図３は各無線携帯端末１１a〜１１m側からコンテンツ管理装置１０に対してコンテンツを登録する際の手順を示す。最初に、各無線携帯端末１１i（i＝a〜mの何れか）のユーザは前記通知に基づいてアドホックモードに設定し、同モードの通信状態で予め通知されている所定のデータ伝送用リンクの確立要求を行う（TS1）。この要求に基づいて、コンテンツ管理装置１０と無線携帯端末１１iとはデータ伝送開始制御手順を実行して相互間でのリンクを確立させる（MS1,TS2）。そして、リンクが確立されると、ユーザによるコンテンツ登録要求に係る指示操作に基づいて、無線携帯端末１１iがＧＰＳ受信部３０から得られている自機の位置情報を付加してコンテンツ登録要求を行う（TS3）。
【００１６】
無線携帯端末１１iからコンテンツ登録要求を受けたコンテンツ管理装置１０では、内蔵タイマで計測したその登録要求の時刻が予め設定されている所定期間内にあるか否か、及び付加されている位置情報が予め設定されている所定ゾーン内にあるか否かを確認し、それら双方の条件を満たしている場合には登録許可情報を無線携帯端末１１iへ送信し、それ以外の場合には登録拒否情報を送信する（MS2〜MS4）。ここに、コンテンツ管理装置１０に設定されている「所定期間」はコンサート開催期間に、「所定ゾーン」はコンサート会場の領域に設定されている。従って、無線携帯端末１１iが現にコンサート会場に有り、コンサート開催期間にコンテンツ登録要求がなされた場合にのみコンテンツの登録を許可することになる。尚、コンテンツ登録要求の時刻の確認方法としては、前記以外に、無線携帯端末１１iが位置情報と共に時刻情報も付加するようにし、コンテンツ管理装置１０でその時刻情報が所定期間内であるか否かを確認する方法であってもよい。
【００１７】
前記の登録拒否情報を受信した無線携帯端末１１iはそれ拒否情報を液晶ディスプレイ２８に表示させて前記条件を満たしていないことをユーザに知らしめる（TS4）。一方、登録許可情報を受信すると、無線携帯端末１１iではＣＦ-Ｒ/Ｗ部３１によってＣＦカード３１aのコンテンツデータを読み出してコンテンツ管理装置１０へ送信し、そのコンテンツデータを受信したコンテンツ管理装置１０はそれをハードディスクに格納する（MS3,TS5,TS6,MS5,MS6）。
【００１８】
そして、前記コンテンツの送受信が終了すると、無線携帯端末１１iとコンテンツ管理装置１０とはデータ伝送終了制御手順を実行してデータ伝送用リンクを解除して通常のアドホックモードに戻るが、コンテンツ管理装置１０では受信したコンテンツデータのサムネイルを作成し、サムネイルリストの更新を行う（TS7,MS7〜MS9）。即ち、コンテンツ管理装置１０は個々のコンテンツデータを登録番号を付してハードディスクに格納すると共に、そのコンテンツのサムネイルを前記登録番号に対応する番号を付してサムネイルリストに新たに組み込み、登録された全てのコンテンツをサムネイルリストで確認できるようにする。
【００１９】
次に、図４は各無線携帯端末１１a〜１１m側からコンテンツ管理装置１０に対してコンテンツの配信要求を行う際の手順を示す。この場合においても、コンテンツの登録の際と同様に、各無線携帯端末１１i（i＝a〜mの何れか）のユーザはアドホックモードに設定し、データ伝送用リンクの確立要求を行い、コンテンツ管理装置１０と無線携帯端末１１iの間でデータ伝送開始制御手順を実行することによりリンクを確立させる（TS21,TS22,MS21）。
【００２０】
リンクの確立がなされると、ユーザによるサムネイルリスト送信要求に係る指示操作に基づいて、無線携帯端末１１iがＧＰＳ受信部３０から得られている自機の位置情報を付加してサムネイルリストの送信要求を行う（TS23）。そして、無線携帯端末１１iからサムネイルリストの送信要求を受けたコンテンツ管理装置１０では、前記のコンテンツの登録の際と同様の条件でその送信要求を許可するか拒否するかを判断する（MS22）。即ち、この場合にも、無線携帯端末１１iが現にコンサート会場に有り、且つコンサート開催期間であることを条件にサムネイルリストの送信を許可するようにしており（MS22,MS23）、それ以外の場合にはコンテンツ管理装置１０が要求拒否情報を送信し、無線携帯端末１１iがその拒否情報を液晶ディスプレイ２８に表示させる（MS24,TS24）。尚、サムネイルリスト送信要求の時刻の確認方法として、無線携帯端末１１iが位置情報と共に時刻情報も付加するようにし、コンテンツ管理装置１０でその時刻情報が所定期間内であるか否かを確認する方法を採用してもよいことは、前記コンテンツ登録要求の場合と同様である。
【００２１】
コンテンツ管理装置１０がサムネイルリスト送信を許可してそのデータの送信を開始すると、無線携帯端末１１iでは受信したサムネイルリストをＣＦ-Ｒ/Ｗ部３１によってＣＦカード３１aに格納させ、受信が完了するとそれを液晶ディスプレイ２８に表示させる（TS25〜TS27）。従って、無線携帯端末１１iのユーザは、受信した最新のサムネイルリストを見ることによって、その時点でコンテンツ管理装置１０に登録されている全てのコンテンツを確認することができる。尚、この場合はサムネイルリストの伝送だけであるため、伝送時間は比較的短い時間で足りる。
【００２２】
無線携帯端末１１iのユーザは、液晶ディスプレイ２８に表示されているサムネイルリストスクロールさせる等によって所望コンテンツを選択し、コンテンツ管理装置１０に対してコンテンツの配信要求を行う（TS28）。その際には、サムネイルリストで示されている所望コンテンツの番号情報と、配信を希望する送信先アドレス情報と、送信時刻の指定情報とを伴って行う。
【００２３】
無線携帯端末１１iからコンテンツの配信要求を受信したコンテンツ管理装置１０では、直ちにその配信要求データをハードディスクに設けた要求受理リスト領域に組み込み、要求受理情報を無線携帯端末１１iへ返送する（MS25,MS26）。コンテンツ管理装置１０の要求受理リストは、例えば図５に示すようなテーブルとして構成されており、各無線携帯端末１１a〜１１mからなされたコンテンツ配信要求毎に、選択された各コンテンツ番号と送信先アドレスと指定送信時刻が逐次記録されてゆくが、各コンテンツ番号はハードディスクの別領域に設けられている［サムネイルリスト上でのコンテンツ番号］及び［登録されているコンテンツデータの格納領域アドレス］と対応付けられている。
【００２４】
要求受理情報を受信した無線携帯端末１１iでは、それを液晶ディスプレイ２８に表示させてユーザにコンテンツ配信要求がコンテンツ管理装置１０側で受理されたことを確認できるようにする（TS29）。そして、無線携帯端末１１iとコンテンツ管理装置１０はデータ伝送終了制御手順を実行し、データ伝送用リンクを解除してアドホックモードに戻る（TS30,MS27）。
【００２５】
次に、図６はコンテンツ管理装置１０におけるコンテンツの配信手順を示すフローチャートである。前記のようにコンテンツ管理装置１０のハードディスクには配信要求に係る要求受理リストが配信要求データを逐次追加させながら作成されてゆくが、その処理と並行して要求受理リストに基づいたコンテンツの配信動作を実行する。
【００２６】
具体的には、コンテンツ管理装置１０は常に要求受理リストの指定送信時刻を監視しており、現在時刻が指定送信時刻になると、その指定送信時刻に対応する送信先アドレスをインターネットと接続されている通信制御部にセットし、次いでその送信先アドレスに対応するコンテンツ番号に対応付けられているコンテンツデータを読み出して、その送信先アドレス宛てにコンテンツデータを送信する（MS41〜MS43）。従って、図１において、例えば、無線携帯端末１１cのユーザが自宅のパソコン１２cを送信先アドレス宛てにサムネイルリストから選択コンテンツの配信要求を行っていれば、指定送信時刻以降にパソコン１２cからインターネット１３を介して配信要求を行ったコンテンツを得ることができる。そして、そのコンテンツはコンサート会場で自分や他の無線携帯端末のユーザが撮像したものであり、現にコンサート会場に居た者同士だけがリアルタイムに共感を覚えたコンテンツであることからより印象深いものとなる。
【００２７】
尚、各無線携帯端末１１a〜１１mは、図４におけるステップTS28のコンテンツの配信要求に際して、ＣＦカード３１aの容量に余裕があれば自機を送信先アドレスに指定してもよく、その場合には選択したコンテンツを自機へ送信させて格納・表示させることもできる。また、この実施形態では無線携帯端末１１a〜１１mで撮影した画像をコンテンツとしているが、画像だけでなく音声をコンテンツとして録音してもよく、その場合には録音した最初の３秒間程度をサムネイルに相当するものとすればよい。更に、この実施形態ではコンテンツ管理装置１０と各無線携帯端末１１a〜１１mとがアドホックモードのネットワークを構成しているが、インフラストラクチャモードのネットワークによる構成であってもよく、例えば、催し物会場が広いために無線携帯端末１１a〜１１mが会場内にあっても無線アドホックネットワークの圏外になるような場合にはインフラストラクチャモードによらざるを得ない。
【産業上の利用可能性】
【００２８】
本発明は、複数の無線携帯端末が収録したコンテンツをコンテンツ管理装置に登録させておき、コンテンツ管理装置により各無線携帯端末のユーザの共有コンテンツとして管理するネットワークに適用できる。
【図面の簡単な説明】
【００２９】
【図１】本発明のコンテンツ共有方法が実施される際のネットワーク構成図である。
【図２】無線携帯端末のシステム回路図である。
【図３】無線携帯端末側からコンテンツ管理装置に対してコンテンツを登録する際の手順を示すフローチャートである。
【図４】無線携帯端末側からコンテンツ管理装置に対してコンテンツの配信要求を行う際の手順を示すフローチャートである。
【図５】コンテンツ管理装置の要求受理リストの内容を示す図である。
【図６】コンテンツ管理装置におけるコンテンツの配信手順を示すフローチャートである。
【符号の説明】
【００３０】
１０…コンテンツ管理装置、１１a〜１１m…無線携帯端末（撮像機能付き携帯電話機）、１２a〜１２m…パーソナルコンピュータ、２１,２９…アンテナ、２２…送受信部、２３…通話部、２４…撮像素子、２５…信号処理部、２６…光学系、２７…光学系駆動部、２８…液晶ディスプレイ、３０…ＧＰＳ受信部、３１…ＣＦ-Ｒ/Ｗ部、３１a…ＣＦカード、３２…操作部、４０…制御部。
【図１】
2006101157.tif 000003
【図２】
2006101157.tif 000004
【図３】
2006101157.tif 000005
【図４】
2006101157.tif 000006
【図５】
2006101157.tif 000007
【図６】
2006101157.tif 000008